(57)【特許請求の範囲】
【請求項１】
坪量が５０ｇ／ｍ２  以下の薄葉紙の片面に、ポリオレフィン系水性ディスパージョン液による目止めコーティング層と、無機酸化物の蒸着薄膜層と、ヒートシール樹脂層とを順次に形成したことを特徴とするＰＴＰ包装用密封シート。
【請求項２】
ポリオレフィン系水性ディスパージョン液が、アイオノマー系水性ディスパージョン液であることを特徴とする請求項１に記載のＰＴＰ包装用密封シート。
【請求項３】
ポリオレフィン系水性ディスパージョン液による目止めコーティング層の厚みが、２〜６μｍであることを特徴とする請求項１に記載のＰＴＰ包装用密封シート。
【請求項４】
請求項１乃至３の密着シートで収納容器の開口部を密封したＰＴＰ包装体。
【発明の詳細な説明】
【０００１】
【産業上の利用分野】
本発明は、医薬品の錠剤やカプセル、あるいは、食品の小型固形物などに用いられるＰＴＰ（Ｐｒｅｓｓ  Ｔｈｒｏｕｇｈ  Ｐａｃｋ）包装用密封シートに関するものである。
【０００２】
【従来の技術】
錠剤やカプセル状の医薬品や、小型の固形食品に用いられＰＴＰ包装体（１０）は、図２に示すように、透明なプラスチックを成形した収納容器（２０）と、この収納容器の下面の開口部を封鎖する密封シート（３０）とからなっており、包装体内の収納物（４０）を使用する時に、収納容器（２０）の天面を指で押圧すると、包装体内の押圧された収納物（４０）によって密封シート（３０）が破断して、収納物（４０）が容易に取り出せる包装体である。この包装体に用いられる密封シートとしては、従来では、アルミニウム箔にヒートシールラッカーをコーティングした２０〜４０μｍ厚のシートが、一般的に使用されていた。このアルミニウム箔を用いた従来の密封シートは、酸素や水蒸気に対するバリヤ性がよく収納物の保護性に優れ、また、使用時の破断性にも優れていた。
【０００３】
【発明が解決しようとする課題】
しかしながら、アルミニウム箔を用いた密封シートは、使用時には、前述したような優れたＰＴＰ包装特性を有しているが、使用後の廃棄物処理時には、問題があった。それは、焼却炉でアルミニウム箔が燃えずに塊状の残滓物となることと、再利用のためのアルミニウム箔と他の物質との分別回収がしにくいことなどである。このため、近年の環境保全の問題から、廃棄物処理のし易い密封シートの開発が強く望まれるようになってきた。この改善方法として、例えば、実公昭５４−１１２５６号や実公昭５４−１１２５８号などで開示されたようなプラスチックフィルムを用いた密封シートがあるが、これらの密封シートは、収納物の保護性と使用時の破断性との兼ね合いの点で、まだ充分には満足できるものではなかった。これとは別に、紙にポリオレフィン系樹脂を押出しラミネート加工して目止めし、無機酸化物を蒸着した密封シートや、平滑性がよいアート紙やコート紙に目止めラッカーをコーティングして、無機酸化物を蒸着した密封シートなどが開発されているが、これらは、使用時の破断性が強すぎる問題があった。本発明は、上述の従来の問題点を解決したもので、アルミニウム箔を用いずに、酸素や水蒸気に対するバリヤ性がよく収納物の保護性に優れ、また、使用時の破断性にも優れ、そのうえ、使用後の廃棄処理が容易なＰＴＰ包装用密封シートを提供するものである。
【０００４】
【課題を解決するための手段】
第１の発明は、図１に示すように、グラシン紙（坪量５０ｇ／ｍ２  以下）の薄葉紙（１１０）の片面に、ポリオレフィン系水性ディスパージョン液による目止めコーティング層（１２０）と、無機酸化物の蒸着薄膜層（１３０）と、ヒートシール樹脂層（１４０）とを順次に形成したことを特徴とするＰＴＰ包装用密封シート（１００）である。
【０００５】
第２の発明は、ポリオレフィン系水性ディスパージョン液が、アイオノマー（Ｉｏｎｏｍｅｒ  Ｒｅｓｉｎ  ）系水性ディスパージョン液であることを特徴とする第１の発明に記載のＰＴＰ包装用密封シートである。
【０００６】
第３の発明は、ポリオレフィン系水性ディスパージョン液による目止めコーティング層の厚みが、２〜６μｍであることを特徴とする第１の発明に記載のＰＴＰ包装用密封シートである。
【０００７】
第４の発明は、第１の発明乃至第３の発明の密着シートで収納容器の開口部を密封したＰＴＰ包装体である。
【０００８】
上述のグラシン紙などの薄葉紙は、坪量が２０〜５０ｇ／ｍ２  のものでよいが、好ましくは２０〜３５ｇ／ｍ２  のものがよく、破断強度が０．３〜０．５ｋｇ／ｃｍ２  の範囲のものが好ましい。坪量が５０ｇ／ｍ２  以下の薄葉紙としては、グラシン紙、パーチメント紙、薬包紙などがあり、表面の平滑性を出すため、必要に応じては、クレーコート層を設けて使用する。特にグラシン紙は表面の平滑性が優れ、使用目的に適したものである。
【０００９】
また、蒸着される無機酸化物としては、酸化ケイ素、酸化アルミニウム、酸化マグネシウム、酸化カルシウム、酸化スズなどが好ましく、蒸着の厚みは、バリヤ性を考慮して４００〜４０００Åが好ましい。
【００１０】
また、ヒートシール樹脂層は、エチレン−酢酸ビニル共重合体を主成分とするヒートシールラッカーを１〜５ｇ／ｍ２  コーティングしたものが好ましい。
【００１１】
【作用】
本発明のＰＴＰ包装用密封シートは、薄葉紙であるグラシン紙を基材としており、破断され易く、この密封シートを用いたＰＴＰ包装体の収納容器の天面を指で押圧すると、押圧された収納物によって密封シートが容易に破断するため、収納物をＰＴＰ包装体から取り出し易い。
【００１２】
また、本発明のＰＴＰ包装用密封シートは、構成層中に無機酸化物の蒸着薄膜層を有しており、酸素や水蒸気に対するバリヤ性がよいため、収納物の保護性に優れる。
【００１３】
さらに、本発明のＰＴＰ包装用密封シートは、構成層中にアルミニウム箔を有していないため、使用後、焼却しても塊状の残滓物を生じることがなく、また、分別回収する必要がないので、廃棄物の処理が容易となる。また、目止めコーティング層は、従来のように有機溶媒系コーティングを使用して形成するものでなく、水性のポリオレフィン系ディスパージョン液を使用して形成するため、作業環境からみて衛生上好ましく、溶剤回収装置などの付帯装置も不要となる。
【００１４】
【実施例】
＜実施例１＞
まず、坪量が３０ｇ／ｍ２  のグラシン紙の片面に、アイオノマー系水性ディスパージョン液（ケミパールＳタイプ，三井石油化学工業株式会社製）をグラビアコート方式でコーティングし、乾燥して、３〜４μｍ厚の目止めコーティング層を形成した。この目止めコーティング層を形成したグラシン紙を、巻取り式ＥＢ加熱真空装置内に装填し、真空度が１．５×１０−５ｔｏｒｒで、目止めコーティン層の表面に酸化ケイ素を蒸着して、８００〜１０００Å厚の酸化ケイ素の蒸着薄膜層を形成した。さらに、この酸化ケイ素の蒸着薄膜層の表面に、エチレン−酢酸ビニル共重合体を主成分としたヒートシールラッカーを、グラビアコート方式でコーティングし、乾燥して、２ｇ／ｍ２  のヒートシール層を形成して、図１に示すヒートシール層（１４０）／蒸着薄膜層（１３０）／目止めコーティング層（１２０）／グラシン紙（１１０）構成の本実施例のＰＴＰ包装用密封シート（１００）を作製した。
【００１５】
次に、２５０μｍ厚の透明なポリ塩化ビニルフィルムを用いて、真空成形法で円柱状の収納部を有する図２に示す収納容器（２０）を作製した。なお、収納容器を成形するフィルムには、ポリ塩化ビニルの他に、ポリカーボネート、ポリエステル、ポリプロピレンなどの単体のプラスチックフィルムや、ポリ塩化ビニリデン、エチレンビニルアルコール共重合体を含む多層構成フィルムなどがある。
【００１６】
そして、作製した透明なポリ塩化ビニルの収納容器に、収納物（錠剤）装填したのち、収納容器の開口部に、前述した本実施例のＰＴＰ包装用密封シートをヒートシール法で熱融着して、収納容器を密封し、本実施例に係わるＰＴＰ包装体を作製した。このＰＴＰ包装体は、収納容器の天面を、指で押圧することにより、密封シートが、収納物によって押圧されて破断し、収納物を容易に取り出すことができた。なお、密封シートの破断強度は、０．７ｋｇ／ｃｍ２  で、水蒸気透過性は０．８ｇ／ｍ２  ・ｄａｙであった。
【００１７】
＜実施例２＞
紙として、坪量が３０ｇ／ｍ２  の薬包紙の片面にクレーコート層を設けた紙を用いた以外は、実施例１と同様にして、ＰＴＰ包装用密封シートを作製した。そして、実施例１と同様の収納容器に錠剤を装填して、前記密封シートで密封し包装体を得た。このＰＴＰ包装は、収納容器の天面を、指で押圧することにより、密封シートが、収納物によって押圧されて破断し、収納物を容易に取り出すことができた。なお、密封シートの破断強度は、０．８ｋｇ／ｃｍ２  で、水蒸気透過性は、１．４ｇ／ｍ２  ・ｄａｙであった。
【００１８】
【発明の効果】
本発明の密封シートを用いたＰＴＰ包装体は、収納容器の天面を指で押圧すると、押圧された収納物によって密封シートが破断され易いため、収納物を包装体から容易に取り出すことができる。
【００１９】
また、本発明の密封シートは、構成層中に無機酸化物の蒸着薄膜層を有しており、酸素や水蒸気に対するバリヤ性が良好であるため、ＰＴＰ包装体内の収納物の保護性がよい。
【００２０】
そのうえ、本発明の密封シートは、構成層中にアルミニウム箔を有していないため、使用後に、焼却しても問題の発生がなく、廃棄処理がし易い。
【図面の簡単な説明】
【図１】本発明の一実施例のＰＴＰ包装用密封シートの断面図である。
【図２】一例のＰＴＰ包装体の断面図である。
【符号の説明】
１０……ＰＴＰ包装体
２０……収納容器
３０……収納物
４０，１００……密封シート
１１０……薄葉紙又はグラシン紙
１２０……目止めコーティング層
１３０……蒸着薄膜層
１４０……ヒートシール樹脂層
【図１】
0003571072.tif 000002
【図２】
0003571072.tif 000003